(57)【要約】【課題】  画像形成装置の処理負荷の上昇を抑制しつつ、ドキュメントの印刷状態を略均等に維持できる画像処理システムを提供する。【解決手段】  プリンタ１が、形成処理の対象となった画像データを、パーソナルコンピュータ２から受け入れ、当該画像データを記録媒体上に形成し、画像データを記録媒体に形成した際の形成画質を検出して、当該検出した形成画質に関する画質関係情報を出力する。パーソナルコンピュータ２では、当該画質関係情報の入力を受けて、当該画質関係情報と、形成処理の対象となった画像データを特定する情報とを関連付けて格納する。【選択図】        図１
2005311467.tif 000002
【特許請求の範囲】
【請求項１】
形成処理側装置と、形成要求側装置と、を含み、
前記形成処理側装置は、
形成処理の対象となった画像データを、前記形成要求側装置から受け入れる手段と、
当該画像データを記録媒体上に形成する手段と、
前記画像データを記録媒体に形成した際の形成画質を検出する手段と、
前記検出した形成画質に関する画質関係情報を出力する手段と、
を有し、
印刷要求側装置は、
形成処理の対象となった画像データを、前記形成処理側装置に出力する手段と、
当該画像データの形成画質に関する画質関係情報を前記形成要求側装置から取得して、当該取得した画質関係情報と、形成処理の対象となった画像データを特定する情報とを関連付けて格納する手段と、
を含むことを特徴とする画像処理システム。
【請求項２】
画像形成処理の対象となった画像データを、画像形成処理の要求元から受け入れる手段と、
当該画像データを記録媒体上に形成する手段と、
前記画像データを記録媒体に形成した際の形成画質を検出する手段と、
前記検出した形成画質に関する画質関係情報を前記画像形成処理の要求元へ出力する手段と、
を有することを特徴とする画像形成装置。
【請求項３】
画像形成処理の対象となった画像データと、当該画像データの形成画質に関係する画質条件情報と、を受け入れる手段と、
当該画質条件情報に基づくキャリブレーション処理を実行し、前記受け入れた画像データを記録媒体上に形成する手段と、
を有することを特徴とする画像形成装置。
【請求項４】
画像形成処理の対象となった画像データと、当該画像データの形成画質に関係する画質条件情報とを含む条件付き画像形成要求を受け入れたときに、当該画像データ及び画質条件情報を保持しておき、
画像データを含み、形成画質に関係する情報を伴わない条件なし画像形成要求を受け入れると、当該受信した画像データを記録媒体上に形成するとともに、当該画像形成の際の形成画質を検出し、
当該検出した形成画質が、前記画質条件情報に示される条件を満足することとなったときに、前記保持している、条件付き画像形成要求に係る画像データを記録媒体上に形成する
ことを特徴とする画像形成装置。
【請求項５】
形成処理の対象となった画像データを、画像形成装置に出力する手段と、
前記画像データの形成画質に関する画質関係情報を取得して、当該取得した画質関係情報と、形成処理の対象となった画像データを特定する情報とを関連付けて格納する手段と、
を含むことを特徴とする画像処理装置。
【請求項６】
画像形成処理の対象となった画像データを、画像形成処理の要求元から受け入れる手段と、
当該画像データを記録媒体上に形成する手段と、
前記画像データを記録媒体に形成した際の形成画質を検出する手段と、
前記検出した形成画質に関する画質関係情報と、形成処理の対象となった画像データを特定する情報とを関連付けて格納する手段と、
を有することを特徴とする画像形成装置。
【請求項７】
画像形成装置を用い、
画像形成処理の対象となった画像データを画像形成処理の要求元から受け入れ、
当該画像データを記録媒体上に形成し、
前記画像データを記録媒体に形成した際の形成画質を検出して、
前記検出した形成画質に関する画質関係情報を前記画像形成処理の要求元へ出力する、
ことを特徴とする画像形成方法。
【請求項８】
コンピュータに、
画像形成処理の対象となった画像データを画像形成処理の要求元から受け入れる手順と、
当該画像データを記録媒体上に形成する手順と、
前記画像データを記録媒体に形成した際の形成画質を検出する手順と、
前記検出した形成画質に関する画質関係情報を前記画像形成処理の要求元へ出力する手順と、
を実行させることを特徴とするプログラム。
【発明の詳細な説明】
【技術分野】
【０００１】
本発明は、プリンタ等の画像形成装置を用いて印刷処理等の画像形成を行うための画像処理システムに関する。
【背景技術】
【０００２】
近年、プリンタと同様の方式を採りながら、オフセット印刷に近いクオリティを実現する技術が開発されつつある。こうしたプリンタは、デザイナなどがオフセット印刷前に刷り上がり状態を確認するためのプレプリントのために用いる目的などに利用できる。
【０００３】
こうした目的においては、出力画質を一定に保持しておき、特定のドキュメントの印刷状態がいつでも略均等となるように補正されていることが望まれる。そうでなければ、印刷毎に画質が変動してしまい、刷り上がり状態の確認などの用に供することが困難となるからである。
【０００４】
また、こうした目的以外であっても、ドキュメントの印刷状態が略均等となっていることが望まれる場合がある。
【０００５】
これらの要望を満足させるにあたり、次のような技術の利用が考えられる。すなわち、印刷枚数ごとの経時変化を補正するために、所定枚数ごとに像露光量を補正する技術（特許文献１）や、画質が予め定めた許容範囲内にないときに調整制御処理を行う技術（特許文献２）などである。
【特許文献１】特開２００３−２１５８６６号公報
【特許文献２】特開２００２−２５１０４２号公報
【発明の開示】
【発明が解決しようとする課題】
【０００６】
しかしながら、上記従来の技術によると、次のような問題がある。すなわち、特許文献１に開示の技術では、規定枚数ごとに画質補正が行われてしまうので、画質補正直前の印刷と、画質補正直後の印刷とで画質が相違してしまう。また、特許文献２に開示の技術では、画質の許容範囲内での画質変動を抑えることができない。
【０００７】
つまり、これらによって、あるドキュメントの印刷状態をいつでも略均等にしようとすれば、画質補正を行う頻度を定めている規定枚数を小さくするか、画質の許容範囲を狭めることになる。
【０００８】
ところがこのようにすると、画質補正の頻度が多くなってしまい、処理負荷が高くなる。例えば、印刷状態を均等にする必要のないドキュメントの印刷時にまで画質補正が行われることとなってしまう。
【０００９】
本発明は上記実情に鑑みて為されたもので、画像形成装置の処理負荷の上昇を抑制しつつ、ドキュメントの印刷状態を略均等に維持できる画像処理システムを提供することを、その目的の一つとする。
【課題を解決するための手段】
【００１０】
上記従来例の問題点を解決するための画像処理システムは、形成処理側装置と、形成要求側装置と、を含み、前記形成処理側装置は、形成処理の対象となった画像データを、前記形成要求側装置から受け入れる手段と、当該画像データを記録媒体上に形成する手段と、前記画像データを記録媒体に形成した際の形成画質を検出する手段と、前記検出した形成画質に関する画質関係情報を出力する手段と、を有し、印刷要求側装置は、形成処理の対象となった画像データを、前記形成処理側装置に出力する手段と、当該画像データの形成画質に関する画質関係情報を前記形成要求側装置から取得して、当該取得した画質関係情報と、形成処理の対象となった画像データを特定する情報とを関連付けて格納する手段と、を含むことを特徴としている。
【００１１】
これによれば、印刷要求側にて形成対象の画像データと、その形成画質に関する情報とを関連づけて保持できることとなり、当該画像データを再度印刷する際に、当該画像データに関連づけて保持した形成画質にて画像形成を行うことができるよう、形成処理側装置の補正を行えばよい。そうすれば、画質補正の頻度を過度に多くする必要がなく、画像形成装置の処理負荷の上昇を抑制しつつ、ドキュメントの印刷状態を略均等に維持できる。
【００１２】
また、上記従来例の問題点を解決するための本発明は、画像形成装置であって、画像形成処理の対象となった画像データを画像形成処理の要求元から受け入れる手段と、当該画像データを記録媒体上に形成する手段と、前記画像データを記録媒体に形成した際の形成画質を検出する手段と、前記検出した形成画質に関する画質関係情報を前記画像形成処理の要求元へ出力する手段と、を有することを特徴としている。
【００１３】
さらに、上記従来例の問題点を解決するための本発明は、画像形成装置であって、画像形成処理の対象となった画像データと、当該画像データの形成画質に関係する画質条件情報と、を受け入れる手段と、当該画質条件情報に基づくキャリブレーション処理を実行し、前記受け入れた画像データを記録媒体上に形成する手段と、を有することを特徴としている。
【００１４】
さらに、上記従来例の問題点を解決するための本発明は、画像形成装置であって、画像形成処理の対象となった画像データと、当該画像データの形成画質に関係する画質条件情報とを含む条件付き画像形成要求を受け入れたときに、当該画像データ及び画質条件情報を保持しておき、画像データを含み、形成画質に関係する情報を伴わない条件なし画像形成要求を受け入れると、当該受信した画像データを記録媒体上に形成するとともに、当該画像形成の際の形成画質を検出し、当該検出した形成画質が、前記画質条件情報に示される条件を満足することとなったときに、前記保持している、条件付き画像形成要求に係る画像データを記録媒体上に形成することを特徴としている。
【００１５】
また、上記従来例の問題点を解決するための本発明は、画像処理装置であって、形成処理の対象となった画像データを、画像形成装置に出力する手段と、前記画像データの形成画質に関する画質関係情報を取得して、当該取得した画質関係情報と、形成処理の対象となった画像データを特定する情報とを関連付けて格納する手段と、を含むことを特徴としている。
【００１６】
さらに、上記従来例の問題点を解決するための本発明は、画像形成装置であって、画像形成処理の対象となった画像データを、画像形成処理の要求元から受け入れる手段と、当該画像データを記録媒体上に形成する手段と、前記画像データを記録媒体に形成した際の形成画質を検出する手段と、前記検出した形成画質に関する画質関係情報と、形成処理の対象となった画像データを特定する情報とを関連付けて格納する手段と、を有することを特徴としている。
【００１７】
また、本発明の一態様に係る画像形成方法は、画像形成装置を用い、画像形成処理の対象となった画像データを画像形成処理の要求元から受け入れ、当該画像データを記録媒体上に形成し、前記画像データを記録媒体に形成した際の形成画質を検出して、前記検出した形成画質に関する画質関係情報を前記画像形成処理の要求元へ出力する、こととしたものである。
【００１８】
また、本発明の別の態様に係るプログラムは、コンピュータに、画像形成処理の対象となった画像データを画像形成処理の要求元から受け入れる手順と、当該画像データを記録媒体上に形成する手順と、前記画像データを記録媒体に形成した際の形成画質を検出する手順と、前記検出した形成画質に関する画質関係情報を前記画像形成処理の要求元へ出力する手順と、を実行させることを特徴としている。
【発明を実施するための最良の形態】
【００１９】
本発明の実施の形態について図面を参照しながら説明する。本発明の実施の形態に係る画像処理システムは、図１に示すように、画像形成装置（画像形成側装置）としてのプリンタ装置１と、画像処理装置（画像形成要求側装置）としてのパーソナルコンピュータ２とを含んで構成されている。
【００２０】
プリンタ装置１は、制御部１１と、記憶部１２と、入出力インタフェース（Ｉ／Ｆ）部１３と、画像形成部１４とを含んで構成されている。また、パーソナルコンピュータ２は、制御部２１と、記憶部２２と、ハードディスク２３と、入出力インタフェース（Ｉ／Ｆ）部２４と、操作部２５と、表示部２６とを含んで構成されている。
【００２１】
プリンタ装置１の制御部１１は、記憶部１２に格納されているプログラムに従って動作しており、画像形成処理の対象となった画像データを画像形成処理の要求元であるパーソナルコンピュータ２から受け入れ、当該画像データを画像形成部１４に出力して、記録媒体上に形成させる（画像形成処理）。また、このときに、その形成画質を検出して、当該検出した形成画質に関する画質関係情報をＩ／Ｆ部１３を介してパーソナルコンピュータ２へ出力する（画質関係情報提供処理）。
【００２２】
また、この制御部１１は、パーソナルコンピュータ２から画像形成処理の対象となる画像データとともに、画質条件情報を受け入れたときには、所定の方法で当該画質条件情報に示された画質条件を満足するタイミングで、上記画像データに関する画像形成処理を行う（画質指定形成処理）。これらの制御部１１による具体的な処理の内容は後に述べる。
【００２３】
記憶部１２は、不揮発性メモリやＲＡＭ（Random Access Memory）などのメモリ素子を含んで構成され、制御部１１によって実行されるプログラムを保持している。また、この記憶部１２は、制御部１１の実行時に生成されるデータを記憶するワークメモリとしても動作する。
【００２４】
Ｉ／Ｆ１３は、例えばネットワークインタフェースであり、パーソナルコンピュータ２に接続されており、パーソナルコンピュータ２から受信する画像データや、画質条件情報を制御部１１に出力する。また、このＩ／Ｆ１３は、画質関係情報等をネットワークを介してパーソナルコンピュータ２等に対して送信する。
【００２５】
画像形成部１４は、例えば図２に示すように、ドラム型の感光体３１と、現像部３２と、用紙搬送部３３と、画質検出部３４とを含んで構成される。なお、画像形成部１４は、本来、このほかにクリーニング部や、定着部を含むのが全体の構成であるが、ここでは本実施の形態の処理に関係する部分について説明することとする。
【００２６】
感光体３１はその軸周りに回動させられており、現像部３２によって形成された像を担持する。この感光体３１は、用紙搬送部３３によって搬送されてきた、記録媒体としての用紙に転写点Ｐで接触して、担持している像を用紙に転写する。現像部３２は、感光体３１上に画像データに従って像を形成する。具体的に、この現像部３２は、図３に示すように、入力された画像要素の値（例えば画素値）に対し、どの程度の濃度のトナーを用いて感光体３１上に当該画像要素に対応する像を形成するかを設定する設定テーブルを備えており、この入力された画像データに含まれる各画素の値に対応する濃度値をこの設定テーブルから読出して、当該読出した濃度値で画像を形成する。
【００２７】
また、この現像部３２は、感光体３１のうち、用紙に接触しない部分（非画像領域、又は用紙に対応しない観測領域などと称される部分）に少なくとも一つ測定用の潜像（それぞれ所定の画素値に対応する濃度の像）を形成する。
【００２８】
用紙搬送部３３は、記録媒体である用紙を図示しない用紙スタックから搬送して感光体３１に接触させて画像を形成させた後、当該用紙を排出トレイまで搬送する。画質検出部３４は、感光体３１上に形成された測定用の潜像に基づいて画質関係情報を生成し、制御部１１に出力する。ここで画質関係情報は、例えば測定用の潜像の濃度を表す値などである。例えば測定用の潜像が、画素値２０％に対応する濃度で形成されている場合、その測定用の潜像の濃度を測定して、画素値２０％に対応する濃度を表す画質関係情報を生成する。
【００２９】
従って、このプリンタ装置１は、画像形成処理の対象となった画像データをパーソナルコンピュータ２から受け入れると、次のように動作する。まず、制御部１１が当該画像データとその受入元であるパーソナルコンピュータ２を特定する情報（例えばパーソナルコンピュータ２のネットワークアドレス等）とを関連付けて記憶部１２に格納する。そして、当該画像データを画像形成部１４に出力する。
【００３０】
画像形成部１４では、現像部３２が当該画像データに基づいて感光体３１上に像を形成し、用紙搬送部３３にて搬送された用紙上に当該形成した像を固定する。そして当該用紙を排出する。また、現像部３２は、当該画像データを形成する際に、感光体３１上に測定用潜像を形成する。この測定用潜像は、用紙には転写されない位置に形成されているが、画質検出部３４がこの測定用潜像の濃度を読取って、その読取結果を画質関係情報として制御部１１に出力する。
【００３１】
すると、制御部１１が、形成した画像データに関連付けて記憶部１２に格納されている情報で特定されるパーソナルコンピュータ２に対して、上記画質関係情報を送出する。なお、制御部１１による画質指定形成処理については、さらに後で説明することとする。
【００３２】
ここで、パーソナルコンピュータ２の各部の動作について説明する。パーソナルコンピュータ２の制御部２１は、記憶部２２やハードディスク２３に格納されているプログラムに従って動作している。この制御部２１は、パーソナルコンピュータとしての一般的な動作（利用者の指示に従ってワードプロセッサソフトとしての動作を行うなど）を行っているが、プリンタ装置１に対して画像形成処理を要求する際の処理が異なっている。すなわち、このパーソナルコンピュータ２の制御部２１は、形成処理の対象となった画像データを、画像形成装置であるプリンタ装置１に送信出力した後、プリンタ装置１側から、当該画像データの形成画質に関する画質関係情報を取得して、当該取得した画質関係情報と、形成処理の対象となった画像データを特定する情報とを関連付けて、記憶部２２又はハードディスク２３に格納する（画質保持処理）。また、後に同じ画像データを形成処理する際には、過去に形成処理したときの画質関係情報を読み出して、当該画質関係情報とともに、当該画像データをプリンタ装置１に対して送信する（画質指定形成要求処理）。これら制御部２１の処理の具体的内容については後に述べる。
【００３３】
記憶部２２は、ＲＡＭなどの記憶素子であり、制御部２１によって実行されるプログラムをハードディスク２３から読出して保持する。またこの記憶部２２は、制御部２１が生成する情報を保持するワークメモリとしても動作する。ハードディスク２３は、制御部２１によって実行されるプログラムを格納したコンピュータ可読な記録媒体である。本実施の形態においては、このハードディスク２３には、図４に示すように、過去に形成処理した画像データを特定する情報（画像データに対応するドキュメントの名称など）と、その画像データの形成時の画質関係情報と、が関連付けて格納されている。また画像データを特定する情報には、さらにその形成が行われた日時の情報や、形成を行ったプリンタ装置１を特定する情報（プリンタ装置１の機種名やプリンタ装置１のネットワークアドレス等）、又は／及び用紙種類の情報が関連づけられてもよい。
【００３４】
Ｉ／Ｆ２４は、例えばネットワークに接続され、ネットワークを介してプリンタ装置１から受信される画質関係情報などを受信して、制御部２１に出力する。また、このＩ／Ｆ２４は、制御部２１から入力される指示に従って、画像データや画質関係情報をプリンタ装置１に対して送信出力する。操作部２５は、キーボードやマウスなどを含み、利用者の操作内容を制御部２１に出力する。表示部２６は、制御部２１から入力される指示に従って利用者に対して情報を提示する。
【００３５】
ここで制御部２１の処理について具体的に説明する。制御部２１の画質保持処理、及び画質指定形成要求処理は、例えばプリンタ装置１のプリンタドライバソフトウエアとして実装できる。すなわち、制御部２１は、アプリケーションの操作においてドキュメントの印刷指示が為されたときに、プリンタドライバの処理を開始し、当該印刷指示の対象となったドキュメントの画像データをプリンタ装置１に対して送信出力するとともに、その印刷結果の応答を待機する。そして、印刷結果とともに（または印刷結果として）画質関係情報を受信すると、印刷指示の対象となったドキュメントの名称（画像データを特定する情報）と、印刷指示を行った日時の情報と、プリンタ装置１を特定する情報と、当該受信した画質関係情報とを関連付けて、ハードディスク２３に格納する。
【００３６】
また、制御部２１は、アプリケーションの操作においてドキュメントの印刷指示が為されたときに、図５に示すインタフェース画面を提示する。このインタフェース画面では、画質指定形成要求処理を行うための操作ボタン（Ｂ）が含まれる。この操作ボタン（Ｂ）がクリックされると、制御部２１は、過去に受信した画質関係情報のうち、当該ドキュメントの名称に関連付けられた画質関係情報を検索する。そして、検索の結果得られた画質関係情報の一覧を表示部２６に表示する（図６）。制御部２１は、この一覧のうち、利用者が指定した画質関係情報（利用者は図６の一覧のうちからクリック操作などによって画質関係情報を指定する）とともに、印刷指示の対象となったドキュメントの画像データをプリンタ装置１に対して送信出力する。
【００３７】
ここで送信出力された画像データと画質関係情報とに基づいて、プリンタ装置１の制御部１１による画質指定形成処理が行われることになる。そこで次に、制御部１１による画質指定形成処理について説明する。
【００３８】
制御部１１は、画像形成処理の対象となった画像データと、当該画像データの形成画質に関係する画質条件情報と、を受け入れると、画像形成部１４に当該画質条件情報に基づくキャリブレーション処理を実行させ、その後に上記画像データを記録媒体上に形成させる。
【００３９】
具体的に、ここでのキャリブレーション処理は、現像部３２の設定テーブルを調整して行うことになる。所望の濃度など、所望の画質を達成するキャリブレーション処理については、広く知られているので、ここでの詳細な説明を省略する。
【００４０】
このように、画像データの形成の直前に、指定された画質条件に設定する方法（第１方法）によれば、画質補正の頻度を高める必要がなく、画像形成装置の処理負荷の上昇を抑制しつつ、ドキュメントの印刷状態を略均等に維持できる。
【００４１】
また、この制御部１１の画質指定形成処理は、次のようなものでもよい。すなわち制御部１１は、画像形成処理の対象となった画像データと、当該画像データの形成画質に関係する画質条件情報とを含む画像形成要求（条件付き画像形成要求）を受け入れたときに、当該画像データ及び画質条件情報を記憶部１２に格納して保持しておく。
【００４２】
そして制御部１１は、その後に形成画質に関係する情報を伴わない画像データ（条件なし画像形成要求）を受け入れると図７に示す処理を開始し、当該受け入れた画像データを画像形成部１４に出力して（Ｓ１）、当該受信した画像データを記録媒体に形成させ、その画質関係情報を取得する（Ｓ２）。
【００４３】
ここで制御部１１は、記憶部１２に格納されている画質条件情報のうち、処理Ｓ２で取得した画質関係情報との差（具体的には濃度の差）が予め定めた許容しきい値未満となっているとの条件を満足するものを検索する（Ｓ３）。なお、ここで記憶部１２に格納されている画質条件情報のうちから上記条件を満足するものとして複数の画質条件情報が見いだされたときには、そのうち最先に保持されたもの（条件に合致するもののうち最先に保持したジョブ）を選択することとしてもよい。
【００４４】
そして制御部１１は、処理Ｓ３にて上記条件を満足する画質条件情報が見いだされたか否かを調べ（Ｓ４）、当該画質条件情報が見いだされたとき（Ｙｅｓのとき）には、当該見いだされた画質条件情報に関連づけられている画像データを記憶部１２から取得して画像形成部１４に出力し、画像形成を行わせて（Ｓ５）処理を終了する。一方、処理Ｓ４にて、画質条件情報が見いだされなかったと判断されたとき（Ｎｏのとき）には、そのまま処理を終了する。
【００４５】
これによれば、受け入れた画質に関する条件が達成されるまで、他のジョブを処理しておき、条件が達成されたときに、当該受け入れた条件に関係する画像データの形成処理を行う。この方法（第２方法）によっても、画質補正の頻度を高める必要がなく、画像形成装置の処理負荷の上昇を抑制しつつ、ドキュメントの印刷状態を略均等に維持できる。
【００４６】
なお、処理Ｓ４にて条件を満足するものが見いだされたときには、その時点で他の条件なし画像形成要求があったとしても、当該条件を満足する画像データを優先して印刷する。
【００４７】
さらに、これらの処理を行うにあたり、ドキュメントが複数のページ（複数の画像データ）を含む場合は、各画像データを印刷している間に画質が変動することもあり得る。そこで、各画像データの印刷中に取得した画質関係情報と、画質条件情報との差が所定の許容しきい値を越えたときには、キャリブレーション処理を行ってから、引続く画像データの印刷を行うこととしてもよい。
【００４８】
また、画質指定形成処理は、上記第１、第２方法を組み合せて実現してもよい。例えば、画像形成の要求に、画像形成のタイミングの指定を含むことができる場合であって、要求を受け入れた後で直ちに画像形成を行うべき旨の指定が含まれていれば、第１方法（キャリブレーションを実行する方法）によって、また、要求を受け入れた後で直ちに画像形成を行うべき旨の指定が含まれていなければ、第２方法（所望の画質になるまで待機する方法）によって所望の画質での画像形成を行うこととしてもよい。
【００４９】
さらに、制御部１１は所定のタイミングごと（例えば画像形成を行う度ごと）に、画質関係情報を取得しておいてもよい。この場合、画質条件情報を画像データとともに受け入れたときに、その受け入れの直前に（つまり最後に）取得した画質関係情報と、当該画質条件情報とを比較し、その差が所定のしきい値（許容しきい値とは異なるしきい値）を越えたときに、上記画像データの送信元となったパーソナルコンピュータ２に対して、エラー情報を送信してもよい。この場合パーソナルコンピュータ２は、当該エラー情報を表示部２６に表示する。
【００５０】
また制御部１１は、このエラー情報を、プリンタ装置１の図示しない表示部に表示してもよいし、画像形成部１４によりエラー情報を表す画像を印刷させてもよい。
【００５１】
さらに図５に示したインタフェース画面では、画像形成の対象となったドキュメントについて、過去に受信した画質関係情報のうち、当該ドキュメントの名称に関連付けられた画質関係情報を検索することとしていたが、この検索の条件としてはドキュメントの名称など、画像データを特定する情報のほか、画像形成に用いられた用紙の種類の情報や、日時の情報を含んでもよい。
【００５２】
また、ここまでの説明では、プリンタ１において検出した形成画質に関する画質関係情報がパーソナルコンピュータ２側に配信されるようにしていたが、当該画質関係情報と、画像データを特定する情報とを関連付けて、プリンタ１や、それに接続されるプリンタサーバ（不図示）に格納することとしてもよい。この場合、当該画質関係情報を識別するための識別情報をパーソナルコンピュータ２側に配信して、パーソナルコンピュータ２側では、当該識別情報と画像データを識別する情報とを関連付けて格納するようにしてもよいし、プリンタ１やプリンタサーバ側に蓄積されている画質関係情報をパーソナルコンピュータ２から検索して、利用する画質関係情報を指定できるようにしてもよい。
【図面の簡単な説明】
【００５３】
【図１】本発明の実施の形態に係る画像処理システムの構成ブロック図である。
【図２】画像形成部の一例を表す概略構成図である。
【図３】濃度設定の例を表す説明図である。
【図４】過去の画質関係情報を保持するテーブルの例を表す説明図である。
【図５】プリンタドライバのユーザインタフェースの例を表す説明図である。
【図６】過去に取得した画質関係情報の提示例を表す説明図である。
【図７】画質条件を指定した場合の処理の例を表すフローチャート図である。
【符号の説明】
【００５４】
１  プリンタ、２  パーソナルコンピュータ、１１，２１  制御部、１２，２２  記憶部、１３，２４  入出力インタフェース部、１４  画像形成部、２３  ハードディスク、２５  操作部、２６  表示部、３１  感光体、３２  現像部、３３  用紙搬送部、３４  画質検出部。
【図１】
2005311467.tif 000003
【図２】
2005311467.tif 000004
【図３】
2005311467.tif 000005
【図４】
2005311467.tif 000006
【図５】
2005311467.tif 000007
【図６】
2005311467.tif 000008
【図７】
2005311467.tif 000009